(57)【特許請求の範囲】
【請求項１】
バーナ及び熱交換器を収容した縦長箱体状で平面視横長矩形状の外装体を備え、この外装体の周側板のうち直交する２面を着脱自在な前パネルと横パネルとなし、前パネルに第１操作用窓穴を設ける一方、横パネルに第２操作用窓穴を設け、前パネルの第１操作用窓穴と横パネルの第２操作用窓穴のどちらか一方に表示兼用操作部を対峙させるとともに、他方に覆板を対峙させ、かつ、これら表示兼用操作部と覆板は、前記第１操作用窓穴と前記第２操作用窓穴のいずれにも対峙し得るように互いに移動交換可能に外装体内に組み込まれていることを特徴とする燃焼機器。
【請求項２】
バーナ及び熱交換器を収容した縦長箱体状で平面視横長矩形状の外装体を備え、この外装体の周側板のうち直交する２面を着脱自在な前パネルと横パネルとなし、前パネルに第１操作用窓穴を設ける一方、横パネルに第２操作用窓穴を設け、前パネルの第１操作用窓穴と横パネルの第２操作用窓穴のどちらか一方に表示兼用操作部を対峙させるとともに、他方に覆板を対峙させ、かつ、これら表示兼用操作部と覆板は、前記第１操作用窓穴と前記第２操作用窓穴のいずれにも対峙し得るように互いに移動交換可能に外装体内に組み込まれており、さらに、前記外装体の天面部には、燃焼空気供給用の給気部材と燃焼排ガス排出用の排気部材を装備したことを特徴とする燃焼機器。
【請求項３】
バーナ、熱交換器、循環ポンプ及びリザーブタンクを収容した縦長箱体状で平面視横長矩形状の外装体を備え、この外装体の周側板のうち直交する２面を着脱自在な前パネルと横パネルとなし、前パネルに第１操作用窓穴を設ける一方、横パネルに第２操作用窓穴を設け、前パネルの第１操作用窓穴と横パネルの第２操作用窓穴のどちらか一方に表示兼用操作部を対峙させるとともに、他方に覆板を対峙させ、かつ、これら表示兼用操作部と覆板は、前記第１操作用窓穴と前記第２操作用窓穴のいずれにも対峙し得るように互いに移動交換可能に外装体内に組み込まれており、さらに、前記前パネル及び横パネルにリザーブタンクのぞき窓をそれぞれ設けたことを特徴とする燃焼機器。
【請求項４】
前記前パネルの第１操作用窓穴と横パネルの第２操作用窓穴の双方は、開閉蓋付きの窓枠を有していることを特徴とする請求項１ないし３に記載の燃焼機器。
【発明の詳細な説明】
【０００１】
【発明の属する技術分野】
本発明は、床暖房放熱器やファンコンベクタ等に温水を循環供給する石油温水ボイラやガス温水ボイラ等の燃焼機器に関する。
【０００２】
【従来の技術】
従来、この種の燃焼機器としては、例えば、特開平６−２４９５１９号公報に開示されているように、縦長箱体状で平面視横長矩形状とした外装体の底板の一側部に、支持台を介して縦置きの缶体（熱交換器）を取り付けるとともに、支持台の内部空間に循環ポンプを設置し、さらに、缶体の他側部の外装体内にバーナやリザーブタンク、制御基板等を配置収容することにより、全体をコンパクトにまとめて設置面積を減少させることができるように燃焼機器が知られている。
【０００３】
上記した従来の燃焼機器は、外装体の周側板のうち、１面のみを簡単に着脱できるパネルとなし、このパネルを取り外して外装体内に収容された各種構成部品の点検・修理・交換等が行えるようにするとともに、着脱自在なパネルの上部適所に操作用窓穴を設け、この操作用窓穴に各種の表示ランプやスイッチ等を備えた表示兼用操作部を対峙させ、操作用窓穴を介して操作部の操作が行えるようにしていた。
【０００４】
【発明が解決しようとする課題】
しかしながら、上記した従来の燃焼機器においては、外装体の周側板のうちの１面のみを簡単に着脱できるパネルとするとともに、この１面のパネルに表示兼用操作部を対峙させた操作用窓穴を設けている構成であるため、機器を設置する際に、点検・修理等のサービス性や操作部の操作性を考慮しなければならず、機器の設置場所が制限されたり、設置条件が合わずに設置できない場合があった。
【０００５】
本発明は、上述の実情に鑑みてなされたものであり、メンテナンス性を向上させつつ、設置場所の制限を受けにくい燃焼機器の提供を目的としている。
【０００６】
【課題を解決するための手段】
請求項１に記載の本発明では、バーナ及び熱交換器を収容した縦長箱体状で平面視横長矩形状の外装体を備え、この外装体の周側板のうち直交する２面を着脱自在な前パネルと横パネルとなし、前パネルに第１操作用窓穴を設ける一方、横パネルに第２操作用窓穴を設け、前パネルの第１操作用窓穴と横パネルの第２操作用窓穴のどちらか一方に表示兼用操作部を対峙させるとともに、他方に覆板を対峙させ、かつ、これら表示兼用操作部と覆板は、前記第１操作用窓穴と前記第２操作用窓穴のいずれにも対峙し得るように互いに移動交換可能に外装体内に組み込まれている構成である。
【０００７】
請求項２に記載の本発明では、バーナ及び熱交換器を収容した縦長箱体状で平面視横長矩形状の外装体を備え、この外装体の周側板のうち直交する２面を着脱自在な前パネルと横パネルとなし、前パネルに第１操作用窓穴を設ける一方、横パネルに第２操作用窓穴を設け、前パネルの第１操作用窓穴と横パネルの第２操作用窓穴のどちらか一方に表示兼用操作部を対峙させるとともに、他方に覆板を対峙させ、かつ、これら表示兼用操作部と覆板は、前記第１操作用窓穴と前記第２操作用窓穴のいずれにも対峙し得るように互いに移動交換可能に外装体内に組み込まれており、さらに、前記外装体の天面部には、燃焼空気供給用の給気部材と燃焼排ガス排出用の排気部材を装備した構成である。
【０００８】
請求項３に記載の本発明では、バーナ、熱交換器、循環ポンプ及びリザーブタンクを収容した縦長箱体状で平面視横長矩形状の外装体を備え、この外装体の周側板のうち直交する２面を着脱自在な前パネルと横パネルとなし、前パネルに第１操作用窓穴を設ける一方、横パネルに第２操作用窓穴を設け、前パネルの第１操作用窓穴と横パネルの第２操作用窓穴のどちらか一方に表示兼用操作部を対峙させるとともに、他方に覆板を対峙させ、かつ、これら表示兼用操作部と覆板は、前記第１操作用窓穴と前記第２操作用窓穴のいずれにも対峙し得るように互いに移動交換可能に外装体内に組み込まれており、さらに、前記前パネル及び横パネルにリザーブタンクのぞき窓をそれぞれ設けた構成である。
【０００９】
請求項４に記載の本発明では、請求項１ないし３に記載の燃焼機器において、前記前パネルの第１操作用窓穴と横パネルの第２操作用窓穴の双方は、開閉蓋付きの窓枠を有している構成である。
【００１０】
【発明の実施の形態】
以下、本発明による燃焼機器の一実施形態例について図１ないし図７に基づき説明する。図において、一実施形態例としての屋内設置型の石油温水ボイラの外装体１は、図１の斜視図から明らかなように、底板２、天板３及び周側板４によって縦長箱体状で平面視横長矩形状に形成され、その天板３には略中央部にプレッシャーキャップカバー５が取り付けられるとともに、天板３の左右両側部にはそれぞれ給排気筒６に接続された燃焼空気供給用の給気ホース７と燃焼排ガス排出用の排気管８が貫通保持されている。ここで、前記給排気筒６は、排気管８の基部を中心として水平方向に約３６０度回動することが可能となっている。
【００１１】
前記底板２の一側部（図２で左側）に設置された支持台９上には熱交換器としての縦置きの缶体１０が載置固定され、支持台９の下部空間には循環ポンプ１１が配置されている。前記循環ポンプ１１には缶体１０で熱交換されて加温された循環水（温水）が通る吸込管１２及び循環ポンプ１１で昇圧した循環水が通る吐出管１３が連結されている。一方、底板２の他側部（図２で右）には補給用循環水を貯溜している半透明のリザーブタンク１４が載置されている。
【００１２】
前記外装体１内の他側部には、前記缶体１０を加熱するための石油燃料を気化して燃焼させるロータリーガス化バーナ１５、このバーナ１５に連設され、バーナ１５に燃焼空気を供給するバーナ送風機１６、バーナ１５に石油燃料を供給する燃料ポンプ１７、バーナ１５や循環ポンプ１１等を制御するコントロール基板１８を内蔵したコントロールケース１９等が配設されている。即ち、上記した電気部品であるロータリーガス化バーナ１５（気化用の電気ヒータ、点火プラグ、フレームセンサを備えている）、バーナ送風機１６、燃料ポンプ１７、コントロール基板１８等を外装体１内の他側部に集約して配置することで、配線の集中化、短線化が可能となり、コストダウンが図れ、しかも、配管接続部の多い缶体１０とは離れるので、信頼性が高められる。また、前記コントロールケース１９は周側板４に装着された支持金具（図示せず）にて支持されている。
【００１３】
ところで、前記外装体１の周側板４の直交する２面は着脱可能な前パネル４Ａと横パネル４Ｂとしている。そして、前パネル４Ａは、上部の２本のネジ２０、２０を外すともに、下部の係止片（図示せず）を底板２の係止孔（図示せず）から外すことにより、取り外すことができ、外装体１の前面を大きく開放し得るものである。一方、横パネル４Ｂは、前パネル４Ａと同様に、上部の２本のネジ２１、２１を外すともに、下部の係止片（図示せず）を底板２の係止片（図示せず）から外すことにより、取り外すことができ、外装体１の横面も開放し得るものである。
【００１４】
また、前パネル４Ａと横パネル４Ｂの双方には、機器の機種名が印刷された機種名表示ラベル２２、２３が上部位置にそれぞれ貼り付けられるとともに、前記リザーブタンク１４の液位を確認するためのリザーブタンクのぞき窓２４、２５がリザーブタンク１４と対向するように下部位置にそれぞれ設けられ、前パネル４Ａの右側部の上部には、開閉蓋２６Ａ付きの合成樹脂製の窓枠２６にて構成された第１操作用窓穴２７が設けられ、一方、横パネル４Ｂの右側部の上部にも、開閉蓋２８Ａ付きの樹脂製の窓枠２８にて構成された第２操作用窓穴２９が設けられている。前記開閉蓋２６Ａ、２８Ａはいずれも上端部を回動支点として上開きするように窓枠２６、２８に保持されている。
【００１５】
３０は開放される２面の交差する部分に立てて設けられた支柱であり、図３に示すように、この支柱３０には前パネル４Ａの第１操作用窓穴２７近くに取付用突片３０Ａが一体に設けられ、この取付用突片３０Ａには４個のネジ穴（図示せず）が設けられ、これら４個のネジ穴を利用して、固定板３１に設けられた取付片部３１Ａと、操作部板３２に設けられた略Ｌ字状の複数の取付脚部３２Ａ、３２Ａとを前記取付用突片３０Ａにネジ３３、３３止めし、操作部板３２を第１操作用窓穴２７側として、固定板３１及び操作部板３２を第１操作用窓穴２７に対峙させている。
【００１６】
前記固定板３１には取付用ファスナ３４、３４により操作部基板３５が取り付けられ、この操作部基板３５には、リセットスイッチ３６、試運転スイッチ３７等のスイッチ部材、燃焼ランプ３８、電源ランプ３９、デジタル表示器４０等の各種表示器が搭載されている。そして、図７に示すように、前記リセットスイッチ３６、試運転スイッチ３７の操作摘み部を操作部板３２の開口４１、４２から外側に臨ませるとともに、燃焼ランプ３８、電源ランプ３９、デジタル表示器４０を操作部板３２の透視窓に対向させている。
【００１７】
また、図４に示すように、前記コントロールケース１９の横パネル４Ｂ側の端面部１９Ａには、前記取付用突片３０Ａと同様に４個のネジ穴が設けられ、これら４個のネジ穴を利用して、覆板４１に設けられた略Ｌ字状の複数の取付脚部４１Ａ、４１Ａをネジ４２止めし、覆板４１を第２操作用窓穴２９に対峙させて、この第２操作用窓穴２９を内側から覆うようにしている。前記覆板４１の形状及び寸法は、前記操作部板３２と略同じであるが、取付脚部４１Ａ、４１Ａ以外に開口や穴が無い点で異なっている。
【００１８】
上記構成において、前パネル４Ａ側を正面として設置できる場合は、上述したように、前パネル４Ａの第１操作用窓穴２７に固定板３１及び操作部板３２を対峙させるとともに、横パネル４Ｂの第２操作用窓穴２９に覆板４１を対峙させた出荷時の状態で機器を設置する。
【００１９】
次に、前パネル４Ａ側を正面として設置できない場合について説明する。図５に示すように、設置前に、前パネル４Ａと横パネル４Ｂを外し、支柱３０の取付用突片３０Ａから固定板３１と操作部板３２を外すとともに、コントロールケース１９の端面部１９Ａから覆板４１を外す。こうして外した固定板３１と操作部板３２は、コントロールケース１９の端面部１９Ａにネジ４２止めし、操作部基板３５の配線接続を行う。一方、覆板４１は支柱３０の取付用突片３０Ａにネジ３３止めする。その後、前パネル４Ａと横パネル４Ｂを外装体１に取り付ける。このようにすると、固定板３１と操作部板３２が横パネル４Ｂの第２操作用窓穴２９に対峙した状態になり、覆板４１が前パネル４Ａの第１操作用窓穴２７に対峙した状態となって、横パネル４Ｂ側を正面として機器を設置できる。
【００２０】
本実施形態例によれば、外装体１の周側板４の直交する２面は着脱可能な前パネル４Ａと横パネル４Ｂとしているので、外装体１の前面と横面の２面を大きく開放することが可能となり、各種構成部品の点検・修理・交換等が容易に行えるばかりでなく、前パネル４Ａに第１操作用窓穴２７を設け、横パネル４Ｂに第２操作用窓穴２９を設け、前パネル４Ａの第１操作用窓穴２７と横パネル４Ｂの第２操作用窓穴２９のどちらか一方に固定板３１及び操作部板３２を対峙させるとともに、他方に覆板４１を対峙させ、かつ、これら固定板３１及び操作部板３２と覆板４１は、前記第１操作用窓穴２７と前記第２操作用窓穴２９のいずれにも対峙し得るように互いに移動交換可能に外装体１内に組み込まれているものであるから、表示兼用操作部の視認性や操作性を良好に維持しつつ、前パネル４Ａ側を正面として設置したり、横パネル４Ｂ側を正面として設置したりすることが可能となり、設置の自由度が増し、設置場所の制限を受けにくくでき、しかも、操作部板３２が対峙していない方の操作用窓穴は覆板４１で覆われるため、安全性も確保できる。
【００２１】
また、外装体１の天板３より、給排気筒６に接続される燃焼空気供給用の給気ホース７と燃焼排ガス排出用の排気管８を導出させているので、外装体１を中心して左右前後上方向のいずれの方向であっても、給排気工事が可能であり、設置場所の制限を一層受けにくくできるとともに、給排気筒６との配管接続工事が容易となる。
【００２２】
また、前パネル４Ａと横パネル４Ｂの双方に、前記リザーブタンク１４の液位を確認するためのリザーブタンクのぞき窓２４、２５を設けているので、設置状態に左右されことなく、リザーブタンク１４の液位を確認できる。
【００２３】
また、前パネル４Ａの第１操作用窓穴２７と横パネル４Ｂの第２操作用窓穴２９の双方は、開閉蓋２６Ａ、２８Ａ付きの窓枠２６、２８を有しているので、第１操作用窓穴２７と第２操作用窓穴２を通しての外装体１内への雨水の進入を防止できる。
【００２４】
図８は、本発明の他の実施形態例を示す屋外設置型の石油温水ボイラの斜視図であり、屋外に設置する点、燃焼排ガス排出用の排気トップ４５を外装体１の天板３に装備している点及びガラリ（図示せず）通して外装体１内に入り込んだ空気を燃焼空気としてバーナ送風機１６に直接吸引させる点で、上述の一実施形態例と異なるが、他は同様の構成であるので説明を省略する。
【００２５】
【発明の効果】
請求項１の燃焼機器においては、バーナ及び熱交換器を収容した縦長箱体状で平面視横長矩形状の外装体を備え、この外装体の周側板のうち直交する２面を着脱自在な前パネルと横パネルとなし、前パネルに第１操作用窓穴を設ける一方、横パネルに第２操作用窓穴を設け、前パネルの第１操作用窓穴と横パネルの第２操作用窓穴のどちらか一方に表示兼用操作部を対峙させるとともに、他方に覆板を対峙させ、かつ、これら表示兼用操作部と覆板は、前記第１操作用窓穴と前記第２操作用窓穴のいずれにも対峙し得るように互いに移動交換可能に外装体内に組み込まれている構成であるから、外装体の前面と横面を開放でき、収容部品の点検・修理・交換等が容易に行えるのは勿論のこと、表示兼用操作部の視認性や操作性を良好に維持しながら、設置の自由度を増すことが可能となり、設置場所の制限を受けにくくでき、しかも、表示兼用操作部の無い操作用窓穴は覆板で覆われるため、安全性を確保できる。
【００２６】
請求項２の燃焼機器においては、バーナ及び熱交換器を収容した縦長箱体状で平面視横長矩形状の外装体を備え、この外装体の周側板のうち直交する２面を着脱自在な前パネルと横パネルとなし、前パネルに第１操作用窓穴を設ける一方、横パネルに第２操作用窓穴を設け、前パネルの第１操作用窓穴と横パネルの第２操作用窓穴のどちらか一方に表示兼用操作部を対峙させるとともに、他方に覆板を対峙させ、かつ、これら表示兼用操作部と覆板は、前記第１操作用窓穴と前記第２操作用窓穴のいずれにも対峙し得るように互いに移動交換可能に外装体内に組み込まれており、さらに、前記外装体の天面部には、燃焼空気供給用の給気部材と燃焼排ガス排出用の排気部材を装備した構成であるから、請求項１に記載の効果に加えて、外装体を中心とするいずれの方向にも給排気工事が可能となり、設置場所の制限を一層受けにくくできるとともに、給排気筒との配管接続工事を容易となせる。
【００２７】
請求項３の燃焼機器においては、バーナ、熱交換器、循環ポンプ及びリザーブタンクを収容した縦長箱体状で平面視横長矩形状の外装体を備え、この外装体の周側板のうち直交する２面を着脱自在な前パネルと横パネルとなし、前パネルに第１操作用窓穴を設ける一方、横パネルに第２操作用窓穴を設け、前パネルの第１操作用窓穴と横パネルの第２操作用窓穴のどちらか一方に表示兼用操作部を対峙させるとともに、他方に覆板を対峙させ、かつ、これら表示兼用操作部と覆板は、前記第１操作用窓穴と前記第２操作用窓穴のいずれにも対峙し得るように互いに移動交換可能に外装体内に組み込まれており、さらに、前記前パネル及び横パネルにリザーブタンクのぞき窓をそれぞれ設けた構成であるから、請求項１に記載の効果に加えて、機器の設置状態にそれほど左右されことなく、リザーブタンクの液位を確認できる。
【図面の簡単な説明】
【図１】本発明の一実施形態例を示す燃焼機器の斜視図である。
【図２】同じく前パネルを外した状態の正面図である。
【図３】同じく第１操作用窓穴周りの要部拡大平断面図である。
【図４】同じく第２操作様窓穴周りの要部拡大平断面図である。
【図５】表示兼用操作部と覆板の移動交換作業を説明するための説明図である。
【図６】表示兼用操作部と覆板の移動交換作業を説明するための説明図である。
【図７】表示兼用操作部の正面図である。
【図８】本発明の他の実施形態例を示す燃焼機器の斜視図である。
【符号の説明】
１      外装体
３      天板（外装体の天面部）
４      周側板
４Ａ    前パネル
４Ｂ    横パネル
７      給気ホース（給気部材）
８      排気管（排気部材）
１０      缶体（熱交換器）
１１      循環ポンプ
１４      リザーブタンク
２４      リザーブタンクのぞき窓
２５      リザーブタンクのぞき窓
２６      窓枠
２６Ａ    開閉蓋
２７      第１操作用窓穴
２８      窓枠
２８Ａ    開閉蓋
２９      第２操作用窓穴
３１      固定板（表示兼用操作部）
３５      操作部基板（表示兼用操作部）
３２      操作部板（表示兼用操作部）
４１      覆板
【図１】
0003667939.tif 000002
【図２】
0003667939.tif 000003
【図３】
0003667939.tif 000004
【図４】
0003667939.tif 000005
【図５】
0003667939.tif 000006
【図６】
0003667939.tif 000007
【図７】
0003667939.tif 000008
【図８】
0003667939.tif 000009